(57)【特許請求の範囲】
【請求項１】
上端に胴部開口を有し、下部に一対の脚部開口を有するパンツタイプの使い捨ておむつであって、
着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、
前記外装シート上に取り付けられて着用者からの排泄物を吸収する吸収体と、
前記中間部の両側端の縁に沿って伸張状態にて前記外装シート上に接合され、収縮することにより脚周りギャザーを形成する一対の脚周り弾性部材と、
前記前方部または前記後方部における前記吸収体の両側方の位置において、前記上端側に凸となるように湾曲して伸張状態にて前記外装シート上に接合される一対の凸状弾性部材と、
を備え、
前記一対の凸状弾性部材の一端が、前記吸収体と重なる、または、前記吸収体の近傍に配置されることを特徴とする使い捨ておむつ。
【請求項２】
請求項１に記載の使い捨ておむつであって、
前記前方部と前記後方部との接合位置において、前記一対の凸状弾性部材が、前記一対の脚周り弾性部材に近接または接することを特徴とする使い捨ておむつ。
【請求項３】
請求項１または２に記載の使い捨ておむつであって、
一端が前記吸収体近傍に位置し、他端が前記一端よりも前記上端側に位置し、伸張状態にて前記外装シート上に接合される一対の補助弾性部材をさらに備えることを特徴とする使い捨ておむつ。
【請求項４】
請求項１ないし３のいずれかに記載の使い捨ておむつであって、
前記一対の凸状弾性部材と同様の他の一対の凸状弾性部材をさらに備え、
前記一対の凸状弾性部材および前記他の一対の凸状弾性部材が、前記前方部および前記後方部にそれぞれ設けられることを特徴とする使い捨ておむつ。
【発明の詳細な説明】
【技術分野】
【０００１】
本発明は、パンツタイプの使い捨ておむつに関する。
【背景技術】
【０００２】
従来より、着用者からの排泄物を受ける吸収性物品の１つとして、上端に胴部開口を有するとともに下部に一対の脚部開口を有するパンツタイプの使い捨ておむつが利用されている。このような使い捨ておむつでは、着用者の前側を覆う前方部と後側を覆う後方部とが中間部を介して連続する外装シートにおいて、前方部の両側端を後方部の両側端にそれぞれ接合することにより、胴部開口および一対の脚部開口が形成される。また、着用者からの排泄物を吸収する吸収体が、前方部から後方部に亘って外装シート上に取り付けられる。さらに、中間部の両側端の縁に沿って一対の脚周り弾性部材が外装シート上に接合され、脚周り弾性部材が収縮することにより脚周りギャザーが形成される。
【０００３】
特許文献１では、パンツタイプの使い捨ておむつの前身頃（前方部）において、両端部が前身頃の両側端に位置する弾性伸縮部材を、中央部が股下側に膨らみ、かつ、その中央部が吸収体の配設位置と交差するように配置することにより、吸収体を前身頃縁（胴部開口の縁）側に持ち上げて、腹側からの尿または便漏れを防止する手法が開示されている。また、特許文献２では、前身頃および後身頃のそれぞれにおいて、ウエスト開口部縁（胴部開口の縁）を始端とし、両側端の接合縁部を終端として配置された装着用第１弾性部材と、ウエスト開口部縁を始端とし、レッグ開口部縁（脚部開口の縁）を終端として配置された装着用第２弾性部材とを設けることにより、着用者がウエスト開口部を掴んで上方側におむつを引き上げる際に、装着用弾性部材の弾性力によっておむつを簡単に引き上げることが可能な使い捨ておむつが開示されている。
【０００４】
なお、特許文献３では、前方部と後方部とを腰回りで止着して装着するオープンタイプの使い捨ておむつにおいて、ウエスト部弾性部材と吸収体の端部との間に配置される胴部ギャザー形成用の複数の胴部弾性部材を、これらの長さ方向の略中央部において各胴部弾性部材間の間隔が最も狭くなるように、それぞれ湾曲して配置し、最も吸収体よりに設けられた胴部弾性部材の両端部を吸収体の側方に位置させたものが開示されている。
【先行技術文献】
【特許文献】
【０００５】
【特許文献１】特開平１０−１２７６８７号公報
【特許文献２】特開２００６−２６３３４６号公報
【特許文献３】特開平１０−１７９６３４号公報
【発明の概要】
【発明が解決しようとする課題】
【０００６】
ところで、排泄物を吸収体にて適切に吸収するには、吸収体が着用者の股間部に密着していることが好ましく、吸収体に吸収されなかった排泄物が脚周りから外部に漏出するのを防止するには、脚周りギャザーが着用者の鼠径部に密着していることが好ましい。しかしながら、パンツタイプの使い捨ておむつの装着では、吸収体を着用者の股間部に密着させるとともに、脚周りギャザーを着用者の鼠径部に密着させることは容易ではない。
【０００７】
本発明は上記課題に鑑みなされたものであり、装着時に吸収体を着用者の股間部に容易に密着させるとともに、脚周りギャザーを着用者の鼠径部に容易に密着させることを目的としている。
【課題を解決するための手段】
【０００８】
請求項１に記載の発明は、上端に胴部開口を有し、下部に一対の脚部開口を有するパンツタイプの使い捨ておむつであって、着用者の前側を覆う前方部および後側を覆う後方部の間の中間部で折り曲げられ、前記前方部の両側端が、前記後方部の両側端にそれぞれ接合されることにより、前記前方部および前記後方部の上端に胴部開口が形成され、前記前方部および前記後方部の下側において前記中間部の両側方に一対の脚部開口が形成される外装シートと、前記外装シート上に取り付けられて着用者からの排泄物を吸収する吸収体と、前記中間部の両側端の縁に沿って伸張状態にて前記外装シート上に接合され、収縮することにより脚周りギャザーを形成する一対の脚周り弾性部材と、前記前方部または前記後方部における前記吸収体の両側方の位置において、前記上端側に凸となるように湾曲して伸張状態にて前記外装シート上に接合される一対の凸状弾性部材とを備え、前記一対の凸状弾性部材の一端が、前記吸収体と重なる、または、前記吸収体の近傍に配置される。
【０００９】
請求項２に記載の発明は、請求項１に記載の使い捨ておむつであって、前記前方部と前記後方部との接合位置において、前記一対の凸状弾性部材が、前記一対の脚周り弾性部材に近接または接する。
【００１０】
請求項３に記載の発明は、請求項１または２に記載の使い捨ておむつであって、一端が前記吸収体近傍に位置し、他端が前記一端よりも前記上端側に位置し、伸張状態にて前記外装シート上に接合される一対の補助弾性部材をさらに備える。
【００１２】
請求項４に記載の発明は、請求項１ないし３のいずれかに記載の使い捨ておむつであって、前記一対の凸状弾性部材と同様の他の一対の凸状弾性部材をさらに備え、前記一対の凸状弾性部材および前記他の一対の凸状弾性部材が、前記前方部および前記後方部にそれぞれ設けられる。
【発明の効果】
【００１３】
本発明によれば、装着時に吸収体を着用者の股間部に容易に密着させるとともに、脚周りギャザーを着用者の鼠径部に容易に密着させることができる。
【００１４】
また、請求項２の発明では、凸状弾性部材により脚の動きが妨げられることを抑制することができ、請求項３および４の発明では、吸収体を着用者の股間部にさらに容易に密着させることができる。
【図面の簡単な説明】
【００１５】
【図１】使い捨ておむつの外観を示す斜視図である。
【図２】展開した状態の使い捨ておむつの平面図である。
【図３】使い捨ておむつの断面図である。
【図４】比較例の使い捨ておむつを示す図である。
【図５】使い捨ておむつの他の例の平面図である。
【発明を実施するための形態】
【００１６】
図１は、本発明の一の実施の形態に係る使い捨ておむつ１の外観を示す斜視図である。図１に示すように、使い捨ておむつ１は、図１中の上側の端部である上端に胴部開口１１を有し、下部に一対の脚部開口１２を有するパンツタイプであり、着用者からの排泄物を受ける。なお、図１の上下方向は重力方向であるとは限らない。
【００１７】
図２は、使い捨ておむつ１を展開した状態で着用者側から見た平面図である。図２に示すように、使い捨ておむつ１は、外装シート４、外装シート４の内面（すなわち、着用者側の面）上に取り付けられて着用者からの排泄物を吸収する略シート状の吸収体２０、および、吸収体２０の長手方向（すなわち、図２中における上下方向）の両端部を覆うように外装シート４上に接合される２つのシート部材５（エンドシートまたはエンド押さえシートとも呼ばれる。）を備える。各シート部材５は、図２の横方向に関して外装シート４の幅のおよそ全体に亘って設けられる。以下、図２の横方向を「おむつの幅方向」と呼ぶ。
【００１８】
使い捨ておむつ１では、図２中の上側の部位が着用者の前側（腹側の肌）を覆い、図２中の下側の部位が着用者の後側（背側の肌）を覆う。以下の説明では、着用者の前側および後側を覆う部位をそれぞれ、「前方部４０１」および「後方部４０３」と呼び、前方部４０１と後方部４０３との間で双方から連続するとともに着用者の股間部に対向する部位を「中間部４０２」と呼ぶ。
【００１９】
使い捨ておむつ１が製造される際には、外装シート４が吸収体２０と共に中間部４０２にて折り曲げられ、中間部４０２を下側に配置した際の前方部４０１の左右両側の端部と、後方部４０３の左右両側の端部とが、加熱および押圧による熱融着により接合される。このように、前方部４０１の両側端と後方部４０３の両側端とをそれぞれ接合することにより、図１に示すように、前方部４０１および後方部４０３の上端に胴部開口１１が形成され、前方部４０１および後方部４０３の下側において中間部４０２の両側方に一対の脚部開口１２が形成される。
【００２０】
図３は、使い捨ておむつ１を図２中に示すＡ−Ａの位置（すなわち、中間部４０２）で切断した断面図である。図３では、図示の都合上、使い捨ておむつ１の構成を互いに離して描いている。
【００２１】
図２および図３に示すように、吸収体２０は、略シート状の本体部２、および、本体部２の両側部上（すなわち、おむつの幅方向の両端部）に配置されて本体部２の長手方向のおよそ全長に亘る一対のサイドシート３を備える。本体部２は、図３に示すように、トップシート２１、バックシート２３、および、トップシート２１とバックシート２３との間に配置された吸収コア２２を備える。図２では、図の理解を容易にするために、吸収コア２２の輪郭を太い破線にて描いている。図２に示すように、吸収コア２２の長手方向の両端部における幅は、吸収コア２２の長手方向の中央部における幅よりも大きい。換言すれば、吸収コア２２は、いわゆる砂時計型である。
【００２２】
また、図３のバックシート２３はホットメルト接着剤等により外装シート４上に接合され、吸収体２０が外装シート４に固定される。図２の使い捨ておむつ１では、吸収体２０は前方部４０１から後方部４０３に亘って配置されており、吸収体２０の各端部は、シート部材５と外装シート４との間に挟まれ、吸収体２０が外装シート４上に強固に固定される。
【００２３】
図３に示すように、各サイドシート３は、長手方向の全長に亘って設けられた折り曲げ線３９を境界として、本体部２側の部位である帯状の接合部３３、および、他方の部位である側壁部３４を備える。接合部３３は、本体部２の側方エッジ近傍において長手方向のおよそ全長に亘って本体部２の上側（すなわち、着用者側）にホットメルト接着剤を用いて接合される。
【００２４】
接合部３３から折り曲げ線３９を介して連続する側壁部３４は、長手方向における両端部において接合部３３上に重ねられ、熱融着接合または超音波接合により接合部３３上に固定される。図２では、図の理解を容易にするために、接合部３３上に固定される側壁部３４の部位３４１に平行斜線を付している。また、側壁部３４は、図２および図３に示すように、長手方向における中央において本体部２から上側へと起立する起立部３４２を備える。図３に示すように、側壁部３４では、起立部３４２の自由端に弾性部材３５が接合されており、弾性部材３５が収縮することにより起立部３４２にギャザーが形成される。
【００２５】
トップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００２６】
吸収コア２２は、粉砕したパルプ繊維やセルロース繊維等の親水性繊維に粒状の高吸収性ポリマー（ＳＡＰ（Super Absorbent Polymer））や高吸収性ファイバー等の高吸収性材料を混合したものをティッシュペーパーや透液性不織布等により包み込んで形成され、トップシート２１を透過した水分を吸収して迅速に固定する。親水性繊維を包むティッシュペーパーや透液性不織布等は、親水性繊維および吸水性材料とホットメルト接着剤により接合されて、親水性繊維の型崩れ、および、吸水性材料の脱落（特に、吸水後における脱落）を防止する。本実施の形態では、吸収コア２２はパルプ繊維およびＳＡＰを含む。
【００２７】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルムが利用され、バックシート２３に到達した排泄物の水分等が、本体部２の外側に染み出すのを防止する。バックシート２３にプラスチックフィルムが利用される場合、使い捨ておむつ１のムレを防止して着用者の快適性を向上するという観点からは、透湿性（通気性）を有するプラスチックフィルムが利用されることが好ましい。
【００２８】
サイドシート３のシート本体としては、疎水性繊維にて形成された撥水性または不透液性の不織布（例えば、スパンボンド不織布やメルトブロー不織布、ＳＭＳ不織布）が利用される。弾性部材３５としては、例えば、ポリウレタン糸、帯状のポリウレタンフィルム、糸状または帯状の天然ゴム等が利用され、本実施の形態では、ポリウレタン糸が弾性部材３５として利用される。また、シート部材５としては、トップシート２１と同様の素材、または、撥水性もしくは親水処理された不織布（例えば、スパンボンド不織布やメルトブロー不織布、ＳＭＳ不織布）が利用される。
【００２９】
外装シート４は、内側シート４１、および、内側シート４１の下側（すなわち、着用者とは反対側）にて内側シート４１に積層される外側シート４２を備える。内側シート４１と外側シート４２との間には、図２に示すように、複数の脚周り弾性要素４３０、複数の胴周り弾性要素４４０、複数の凸状弾性要素４５０、および、複数の補助弾性要素４６０がホットメルト接着剤等により接合される。
【００３０】
詳細には、それぞれがおむつの幅方向に伸びる複数の胴周り弾性要素４４０が、前方部４０１および後方部４０３上にて、おむつの幅方向に垂直な方向に配列される。実際には、複数の胴周り弾性要素４４０は伸張状態にて外装シート４上に接合され、収縮することにより外装シート４が収縮されて胴部ギャザーが形成される。なお、複数の胴周り弾性要素４４０うち、胴部開口１１（図１参照）の縁近傍に配置される一部の胴周り弾性要素４４０は密に並べられており、これらの胴周り弾性要素４４０により、使い捨ておむつ１が着用者の腰周りにて強くフィットする。
【００３１】
図２の中間部４０２の各側部における前方部４０１側の部位には、３本の脚周り弾性要素４３０が当該側部の縁に沿って伸張状態にて接合される。各脚周り弾性要素４３０の一端は吸収体２０の長手方向の中央近傍にて吸収体２０と重なり（正確には、外装シート４に垂直な方向から見た場合に重なり）、他端は前方部４０１の中間部４０２側の部位にてその側端に位置する。中間部４０２の当該側部における後方部４０３側の部位にも同様に、３本の脚周り弾性要素４３０が当該側部の縁に沿って伸張状態にて接合されており、各脚周り弾性要素４３０の一端は吸収体２０と重なり、他端は後方部４０３の側端に位置する。使い捨ておむつ１では、中間部４０２の各側部にて前方部４０１側および後方部４０３側に設けられる６本の脚周り弾性要素４３０の集合が１つの脚周り弾性部材４３となっており、脚周り弾性部材４３が収縮することにより、当該側部における外装シート４が収縮する。このように、中間部４０２の両側端の縁に沿って一対の脚周り弾性部材４３が設けられることにより、一対の脚周りギャザー（レッグギャザー）が形成される。使い捨ておむつ１の外装シート４では、中間部４０２の各側部において前方部４０１側の脚周り弾性要素４３０と後方部４０３側の脚周り弾性要素４３０との間に、弾性要素の不存在領域が設けられる。
【００３２】
また、前方部４０１において吸収体２０の各側方には、３本の凸状弾性要素４５０が、中間部４０２とは反対側（図２中の上側）に膨らんだ凸状に配置される。各凸状弾性要素４５０の一端は吸収体２０の前方部４０１側の端部と重なり、他端は前方部４０１の側端（すなわち、図１の使い捨ておむつ１における前方部４０１と後方部４０３との接合位置）にて脚周り弾性要素４３０と近接または接する。後方部４０３においても同様に、吸収体２０の各側方には、３本の凸状弾性要素４５０が、中間部４０２とは反対側（図２中の下側）に膨らんだ凸状に配置される。各凸状弾性要素４５０の一端は吸収体２０の後方部４０３側の端部と重なり、他端は後方部４０３の側端にて脚周り弾性要素４３０と近接または接する。実際には、前方部４０１および後方部４０３における複数の（全ての）凸状弾性要素４５０は、伸張状態にて外装シート４上に接合されており、前方部４０１および後方部４０３のそれぞれにおいて、吸収体２０の各側方に位置する３本の凸状弾性要素４５０の集合が１つの凸状弾性部材４５として収縮する。
【００３３】
このように、使い捨ておむつ１の前方部４０１および後方部４０３のそれぞれでは、吸収体２０の両側方の位置において、一対の凸状弾性部材４５が伸張状態にて外装シート４に接合され、一対の凸状弾性部材４５の収縮により外装シート４の対応する部位が収縮する。これにより、前方部４０１の両側端を後方部４０３の両側端にそれぞれ接合した状態の使い捨ておむつ１（図１参照）では、吸収体２０の端部近傍から使い捨ておむつ１の上端側、かつ、おむつの幅方向外側（吸収体２０から離れる方向）に向かって伸びる凸状弾性部材４５の部位（図２中にて符号４５１を付す部位であり、以下、「第１傾斜部位４５１」という。）により、吸収体２０の端部が上端側に引き上げられる。また、脚周りギャザーの近傍から上端側、かつ、おむつの幅方向内側（吸収体２０に近づく方向）に向かって伸びる凸状弾性部材４５の部位（図２中にて符号４５２を付す部位であり、以下、「第２傾斜部位４５２」という。）により、脚周りギャザー（の前方部４０１または後方部４０３近傍の部位）が、上端側に引き上げられる。
【００３４】
さらに、外装シート４において、吸収体２０の前方部４０１側の端部の各側方には、３本の補助弾性要素４６０が伸張状態にて接合される。各補助弾性要素４６０は、吸収体２０の当該端部から図２の上側、かつ、おむつの幅方向外側に向かって伸びており、一端は吸収体２０の当該端部と重なり、他端は前方部４０１の側端にて脚周り弾性要素４３０および凸状弾性要素４５０と近接または接する。外装シート４において、吸収体２０の後方部４０３側の端部の各側方にも同様に、３本の補助弾性要素４６０が伸張状態にて接合される。各補助弾性要素４６０は、吸収体２０の当該端部から図２の下側、かつ、おむつの幅方向外側に向かって伸びており、一端は吸収体２０の当該端部と重なり、他端は後方部４０３の側端にて脚周り弾性要素４３０および凸状弾性要素４５０と近接または接する。
【００３５】
使い捨ておむつ１では、吸収体２０の前方部４０１側の端部および後方部４０３側の端部のそれぞれにおいて、各側方に位置する３本の補助弾性要素４６０の集合が補助弾性部材４６として機能する。したがって、前方部４０１の両側端を後方部４０３の両側端にそれぞれ接合した状態の使い捨ておむつ１（図１参照）において、吸収体２０の前方部４０１側の端部および後方部４０３側の端部のそれぞれは、一対の補助弾性部材４６の収縮によっても使い捨ておむつ１の上端側に引き上げられる。
【００３６】
図３の外装シート４の内側シート４１および外側シート４２としては、バックシート２３と同様に、疎水性繊維にて形成された撥水性または不透液性の不織布やプラスチックフィルムが利用され、あるいは、これらの不織布とプラスチックフィルムとが積層された積層シートが利用される。プラスチックフィルムとしては、透湿性（通気性）を有するものが好ましい。また、内側シート４１および外側シート４２として、トップシート２１と同様に、親水性繊維により形成された不織布や親水処理した疎水性繊維にて形成された透液性の不織布が利用されてもよい。
【００３７】
脚周り弾性要素４３０、胴周り弾性要素４４０、凸状弾性要素４５０、および、補助弾性要素４６０としては、サイドシート３の弾性部材３５と同様に、例えば、ポリウレタン糸、帯状のポリウレタンフィルム、糸状または帯状の天然ゴム等が利用され、本実施の形態では、ポリウレタン糸が脚周り弾性要素４３０、胴周り弾性要素４４０、凸状弾性要素４５０、および、補助弾性要素４６０として利用される。なお、脚周り弾性部材４３、凸状弾性部材４５、補助弾性部材４６を構成する弾性要素の個数は任意に変更されてよく、１つの弾性要素により、各弾性部材が構成されてもよい。
【００３８】
図１に示す使い捨ておむつ１が着用される際には、着用者の両脚が胴部開口１１を介して一対の脚部開口１２に挿入された後、使い捨ておむつ１が着用者の腰周りまで引き上げられる。このとき、図２の凸状弾性部材４５の第１傾斜部位４５１および補助弾性部材４６により、吸収体２０の各端部が上方（着用者の頭部側）に引き上げられ、吸収体２０が着用者の股間部に密着する。また、凸状弾性部材４５の第２傾斜部位４５２により、脚周りギャザーが上方に引き上げられ、脚周りギャザーが着用者の鼠径部に密着する。
【００３９】
図４は、比較例の使い捨ておむつ９を示す図であり、図２に対応する図である。比較例の使い捨ておむつ９では、図２の使い捨ておむつ１における凸状弾性部材４５および補助弾性部材４６が省略される。比較例の使い捨ておむつ９の装着では、着用者の両脚が一対の脚部開口に挿入された後に、単に使い捨ておむつ９を着用者の腰周りまで引き上げても、吸収体９１を着用者の股間部に密着させたり、脚周り弾性部材９２により形成される脚周りギャザーを着用者の鼠径部に密着させることは容易ではない。吸収体９１が着用者の股間部に密着していない状態では、排泄物が吸収体９１に適切に吸収されない虞があり、また、脚周りギャザーが着用者の鼠径部に密着していない状態では、吸収体９１に吸収されなかった排泄物が脚周りから外部に漏出する虞がある。
【００４０】
これに対し、図２の使い捨ておむつ１では、前方部４０１および後方部４０３における吸収体２０の各側方の位置において、凸状弾性部材４５が、使い捨ておむつ１の上端側（すなわち、長手方向における外装シート４の両端部側）に凸となるように湾曲して伸張状態にて外装シート４上に接合される。これにより、装着時に凸状弾性部材４５により吸収体２０の両端部を上端側に引き上げて、吸収体２０を着用者の股間部に容易に密着させるとともに、凸状弾性部材４５により脚周りギャザーも上端側に引き上げて、脚周りギャザーを着用者の鼠径部に容易に密着させることができる。また、前方部４０１および後方部４０３のそれぞれにおいて、一対の凸状弾性部材４５により、吸収体２０の端部および脚周りギャザーの引き上げが実現されるため、吸収体２０の端部を上端側に引き上げる弾性部材と、脚周りギャザーを上端側に引き上げる弾性部材とを個別に設ける場合に比べて、使い捨ておむつの製造コストを削減することができる。
【００４１】
また、使い捨ておむつ１では、一端が吸収体２０の端部に位置し、他端が当該一端よりも使い捨ておむつ１の上端側に位置する一対の補助弾性部材４６が伸張状態にて外装シート４上に接合される。これにより、補助弾性部材４６と凸状弾性部材４５とが協働して吸収体２０の当該端部が上端側に引き上げられ、吸収体２０を着用者の股間部にさらに容易に密着させることができる。
【００４２】
図５は使い捨ておむつの他の例を示す図であり、図２に対応する図である。図５の使い捨ておむつ１ａでは、図２の使い捨ておむつ１と比較して、凸状弾性部材４５ａの形状が相違するとともに、補助弾性部材４６が省略される。他の構成は図２と同様であり、同符号を付している。
【００４３】
前方部４０１および後方部４０３のそれぞれにおいて、凸状弾性部材４５ａ（の各凸状弾性要素４５０ａ）は、中間部４０２とは反対側に膨らんだ凸状に配置され、一方の端部は吸収体２０の長手方向の端部と重なり、他方の端部は中間部４０２の側端に位置する。また、凸状弾性部材４５ａは、中間部４０２の側端近傍にて脚周り弾性部材４３（の脚周り弾性要素４３０）と交差している。
【００４４】
前方部４０１の両側端を後方部４０３の両側端にそれぞれ接合した状態の使い捨ておむつ１ａ（図１参照）では、吸収体２０の端部近傍から使い捨ておむつ１ａの上端側、かつ、おむつの幅方向外側（吸収体２０から離れる方向）に向かって伸びる凸状弾性部材４５ａの第１傾斜部位４５１ａにより、吸収体２０の端部が上端側に引き上げられる。また、中間部４０２の側端から上端側、かつ、おむつの幅方向内側（吸収体２０に近づく方向）に向かって伸びる凸状弾性部材４５ａの第２傾斜部位４５２ａにより、脚周りギャザーが、上端側に引き上げられる。さらに、吸収体２０の各端部における両側方において、一対の凸状弾性部材４５ａ、一対の脚周り弾性部材４３および吸収体２０により囲まれる外装シート４の内面の領域（図５中にて符号４７を付す領域）には、一対の凸状弾性部材４５ａおよび一対の脚周り弾性部材４３の収縮により、着用者とは反対側に窪む一対のポケット部が形成される。使い捨ておむつ１ａでは、排泄物が吸収体２０から漏れ出した場合でも、当該排泄物がポケット部にて捕捉される。
【００４５】
以上に説明したように、使い捨ておむつ１ａでは、凸状弾性部材４５ａが、上端側に凸となるように湾曲して伸張状態にて外装シート４上に接合される。これにより、装着時に凸状弾性部材４５ａにより吸収体２０の両端部を上端側に引き上げて、吸収体２０を着用者の股間部に容易に密着させるとともに、凸状弾性部材４５ａにより脚周りギャザーも上端側に引き上げて、脚周りギャザーを着用者の鼠径部に容易に密着させることができる。
【００４６】
ところで、図５の使い捨ておむつ１ａでは、凸状弾性部材４５ａの端部が中間部４０２の側端に位置することにより、着用者によっては、歩行中の脚の上げ下ろしの際に脚の動きが妨げられているように感じられることがある。したがって、凸状弾性部材により脚の動きが妨げられることを抑制するには、図２に示すように、凸状弾性部材４５（および補助弾性部材４６）の端部が、前方部４０１と後方部４０３との接合位置において、脚周り弾性部材４３に近接または接することが好ましい。
【００４７】
以上、本発明の実施の形態について説明してきたが、本発明は上記実施の形態に限定されるものではなく、様々な変形が可能である。
【００４８】
使い捨ておむつ１，１ａでは、前方部４０１および後方部４０３の一方のみに一対の凸状弾性部材４５，４５ａが設けられてもよく、この場合でも、一対の凸状弾性部材４５，４５ａにより、装着時に吸収体２０の一方の端部を使い捨ておむつ１，１ａの上端側に引き上げて、吸収体２０を着用者の股間部に容易に密着させるとともに、脚周りギャザーも上端側に引き上げて、脚周りギャザーを着用者の鼠径部に容易に密着させることができる。なお、前方部４０１および後方部４０３の一方のみに一対の凸状弾性部材４５，４５ａを設ける場合、排泄物を吸収体２０にて適切に吸収するという観点では、一対の凸状弾性部材４５，４５ａは前方部４０１に設けられることが好ましい。また、吸収体２０を着用者の股間部にさらに容易に密着させるとともに、脚周りギャザーを着用者の鼠径部にさらに容易に密着させるには、図２のように、同様の二対の凸状弾性部材が、前方部４０１および後方部４０３にそれぞれ設けられることが好ましい。
【００４９】
使い捨ておむつの一の製造手法では、連続するポリウレタン糸を外装シート上に接合した後、外装シートと共にポリウレタン糸が切断されて弾性要素が形成されるため、外装シートに微小な孔が形成されることがある。したがって、上記製造手法によって使い捨ておむつが製造される場合には、図２および図５に示すように、脚周り弾性部材４３、凸状弾性部材４５，４５ａおよび補助弾性部材４６のそれぞれにおける弾性要素の一端（すなわち、切断位置）が吸収体２０と重なって、外装シートの上記孔が吸収体２０により覆われることが好ましい。他の製造手法により使い捨ておむつが製造される場合や、外装シートの上記孔が問題とはならない場合には、脚周り弾性部材４３、凸状弾性部材４５，４５ａおよび補助弾性部材４６における弾性要素の一端は、吸収体２０の近傍に配置されるのであるならば、必ずしも吸収体２０と重なる必要はない。
【００５０】
上記実施の形態および各変形例における構成は、相互に矛盾しない限り適宜組み合わせられてよい。
【符号の説明】
【００５１】
１，１ａ    使い捨ておむつ
４    外装シート
１１    胴部開口
１２    脚部開口
２０    吸収体
４３    脚周り弾性部材
４５，４５ａ    凸状弾性部材
４６    補助弾性部材
４０１    前方部
４０２    中間部
４０３    後方部
【図１】
0005570876.tif 000002
【図２】
0005570876.tif 000003
【図３】
0005570876.tif 000004
【図４】
0005570876.tif 000005
【図５】
0005570876.tif 000006